(57)【要約】      （修正有）【課題】径方向の大きさが異なる種々の花器に適合可能な簡単な構造の花器外装体を提供する。【解決手段】花器外装体１０は、筒状に丸められて周長方向の一方端部と他方端部とが接続されるシート部材１１を有し、シート部材の少なくとも一部にシート部材の周長を伸縮可能な山折り部２２と谷折り部２３からなる伸縮部２１が設けられている。伸縮部の伸縮によって筒状のシート部材を径方向に拡縮させることができ、径方向の大きさが異なる種々の花器１に外装することができる。シート部材の周長方向に所定間隔をおいて連続する複数の紐穴１２が設けられ、シート部材を花器に緊縛可能な固定紐４１が挿通されているのが好ましい。【選択図】図１
0003195911.tif 000002
【実用新案登録請求の範囲】
【請求項１】
花器に外装される花器外装体であって、
筒状に丸められて周長方向一方端部と周長方向他方端部とが接続されるシート部材を有し、該シート部材の少なくとも一部に前記シート部材の周長を伸縮可能な伸縮部が設けられていることを特徴とする花器外装体。
【請求項２】
前記伸縮部は、前記シート部材が山折りに折り曲げられた山折り部と、前記シート部材が谷折りに折り曲げられた谷折り部とが、前記シート部材の周長方向に交互に連続して配置されて構成されていることを特徴とする請求項１に記載の花器外装体。
【請求項３】
前記伸縮部は、前記シート部材の周長方向全長に亘って設けられていることを特徴とする請求項２に記載の花器外装体。
【請求項４】
前記花器の下部に対向配置される前記シート部材の幅方向一方端部に、前記山折り部の一部を部分的に谷折りに折り返した折り返し部が設けられていることを特徴とする請求項３に記載の花器外装体。
【請求項５】
前記シート部材には、該シート部材の周長方向に所定間隔をおいて連続する複数の紐穴が設けられており、該紐穴には、前記シート部材を前記花器に緊縛可能な固定紐が挿通されていることを特徴とする請求項４に記載の花器外装体。
【請求項６】
前記シート部材には、前記シート部材の周長方向一方端部と周長方向他方端部とを接続する接続手段が設けられていることを特徴とする請求項１から請求項４のいずれか一項に記載の花器外装体。
【請求項７】
前記接続手段は、前記シート部材の周長方向一方端部と周長方向他方端部を接続する面ファスナを有していることを特徴とする請求項６に記載の花器外装体。
【請求項８】
前記接続手段は、前記シート部材の周長方向一方端部と周長方向他方端部を接続する両面テープを有していることを特徴とする請求項６に記載の花器外装体。
【請求項９】
前記接続手段は、前記シート部材の周長方向一方端部に前記シート部材の幅方向に沿って切り込まれて形成されたスリットと、前記シート部材の周長方向他方端部に突出して前記スリットに係入可能な舌片と、を有することを特徴とする請求項６に記載の花器外装体。
【請求項１０】
前記シート部材は、該シート部材の周長方向に折りたたむことによって、山折り部と谷折り部との間の距離と同じ厚さ幅を有する棒状とされ、予め設定された大きさを有するケースに収容可能な構成を有することを特徴とする請求項３に記載の花器外装体。
【考案の詳細な説明】
【技術分野】
【０００１】
本考案は、花器の周囲を包む花器外装体に関する。
【背景技術】
【０００２】
特許文献１には、平らなマット状の立体網状体を丸めて内部に花器を収容可能な筒状とし、その両端部を連結留め具で接続することにより構成された花器の外装体の技術が示されている。
【先行技術文献】
【特許文献】
【０００３】
【特許文献１】実開平５−８６２６６号公報
【考案の概要】
【考案が解決しようとする課題】
【０００４】
上記構成を有する外装体は、花器の径方向の大きさに合わせて寸法形状が設定されているので、異なる大きさを有する花器に用いることは困難であり、特に、予め設定されている寸法形状よりも径方向に大きな花器に用いることはできない。
【０００５】
したがって、花器の径方向の大きさに応じた専用設計のものをそれぞれ用意する必要があり、製造者にとっては製造作業や在庫管理が煩雑となり、コスト高となる。また、ユーザにとっては花器の径方向の大きさに適合した寸法形状のものを選択して購入する必要があり、購入後は異なる大きさの花器に流用することは困難で、別個適合したものを購入する必要がある。
【０００６】
本考案は、このような問題に鑑みてなされたものであって、その目的とするところは、径方向の大きさが異なる種々の花器に適合可能な簡単な構造の花器外装体を提供することにある。
【課題を解決するための手段】
【０００７】
前記目的を達成すべく、本考案に係る花器外装体は、花器に外装される花器外装体であって、筒状に丸められて周長方向一方端部と周長方向他方端部とが接続されるシート部材を有し、シート部材の少なくとも一部にシート部材の周長を伸縮可能な伸縮部が設けられていることを特徴としている。
【０００８】
この構成によれば、伸縮部の伸縮によって筒状のシート部材を径方向に拡縮させることができる。したがって、花器に外装した際に、花器の大きさに応じて拡縮させることができ、径方向の大きさが異なる種々の花器に外装することができる。
【０００９】
例えば、伸縮部は、シート部材が山折りに折り曲げられた山折り部と、シート部材が谷折りに折り曲げられた谷折り部とを、シート部材の周長方向に交互に連続して配置することにより構成される。この構成によれば、シート部材を山折りと谷折りに交互に折り曲げるだけで伸縮部を構成することができ、本考案の花器外装体を簡単に製造することができる。
【００１０】
そして、伸縮部を、シート部材の周長方向全長に亘って設けてもよい。この構成によれば、シート部材を周長方向全長に亘って均一に伸縮させることができる。したがって、花器に外装した際に、花器に対して周長方向全長に亘って均一に接することができる。
【００１１】
本考案に係る花器外装体の好ましい具体的な態様として、花器の下部に対向配置されるシート部材の幅方向一方端部に、山折り部の一部を部分的に谷折りに折り返した折り返し部を設けてもよい。この構成によれば、シート部材を花器の外周に沿って装着した際に、花器の下部に対向配置される筒状のシート部材の下部を花器の上部に対向配置されるシート部材の上部よりも径方向外側に膨らませることができる。したがって、筒状のシート部材を、上部が窄まったテーパ形状とすることができ、形状の安定化を図ることができる。
【００１２】
本考案に係る花器外装体の好ましい具体的な態様として、シート部材には、シート部材の周長方向に所定間隔をおいて連続する複数の紐穴が設けられており、紐穴には、前記シート部材を前記花器に緊縛可能な固定紐が挿通された構成としてもよい。この構成によれば、シート部材を花器の外周に装着して固定紐を緊縛することにより、シート部材の形状を固定することができる。したがって、シート部材が漸次径方向外側に開く拡径方向に変形するのを防ぎ、形状の安定化を図ることができる。
【００１３】
そして、シート部材の周長方向一方端部と他方端部を接続する接続手段を有する構成としてもよく、接続手段は、面ファスナや両面テープを用いて構成してもよい。また、シート部材の周長方向一方端部にスリットを設け、シート部材の周長方向他方端部に舌片を設けて、スリットに舌片を係入することにより接続する構成としてもよい。
【考案の効果】
【００１４】
本考案によれば、径方向の大きさが異なる種々の花器に適合可能な簡単な構造の花器外装体を得ることができる。
【図面の簡単な説明】
【００１５】
【図１】本考案に係る花器外装体の一実施形態を示す斜視図。
【図２】花器外装体の平面図。
【図３】花器外装体の分解斜視図。
【図４】花器外装体の展開状態を示す模式図。
【図５】シート部材の接続構造の一例を説明する図。
【図６】シート部材の接続構造の他の例を説明する図。
【図７】折り返し部の形成方法を説明する正面図。
【図８】折り返し部の形成方法を説明する側面図。
【図９】花器外装体の使用例を説明する分解斜視図。
【図１０】花器外装体の使用例を説明する分解斜視図。
【図１１】花器外装体の収容方法の一例を説明する斜視図である。
【図１２】花器外装体の他の実施形態を説明する平面図。
【考案を実施するための形態】
【００１６】
以下、本考案に係る花器外装体の一実施形態を図面に基づき詳細に説明する。
図１は、本考案に係る花器外装体の一実施形態を示す斜視図、図２は、花器外装体の平面図、図３は、花器外装体の分解斜視図、図４は、花器外装体の展開状態を示す模式図である。
【００１７】
花器外装体１０は、花器の外部に装着されて、花器の少なくとも一部を覆うものである。本実施形態における花器とは、花瓶や植木鉢などの草木を活けるための専用品だけでなく、ペットボトルや空き缶、空き瓶など、花器として流用できるものも含まれる。
【００１８】
花器外装体１０は、図３に示すように、筒状に丸められて周長方向一方端部１１Ａと周長方向他方端部１１Ｂとが接続されるシート部材１１を有している。シート部材１１は、薄厚で平面状に広がり、山折り及び谷折りに折り曲げられて、かかる形状を保持可能な剛性を有し、その折り曲げた形状で全体を筒状に丸めることが可能な素材からなる。そして、かかる素材を一定幅で周長方向に延在する帯形状に裁断することにより構成されている。
【００１９】
本実施形態では、素材として紙が用いられている。紙は、色や種類が豊富であり、軽量かつ安価でもあり、取り扱いが容易でシート部材１１を簡単に製造することができる。紙は、形状を保持可能な厚紙が好ましい。また、シート部材１１の素材として紙の代わりに、例えばプラスチックやＰＥＴ等の合成樹脂製の薄板を用いることもできる。
【００２０】
シート部材１１には、その少なくとも一部をシート部材１１の周長方向に伸縮可能な伸縮部２１が設けられている。伸縮部２１は、シート部材１１が山折りに折り曲げられた山折り部２２と、シート部材１１が谷折りに折り曲げられた谷折り部２３とが、シート部材１１の周長方向に交互に連続して配置されて構成されている。山折り部２２と谷折り部２３は、例えば素材を型で裁断して抜くことによって形成される。山折り部２２は、シート部材１１の表面に向かって突出するように折り曲げられ、谷折り部２３は、シート部材１１の裏面に向かって突出するように折り曲げられる。
【００２１】
伸縮部２１は、山折り部２２と谷折り部２３の折り曲げ角度の変化によって、シート部材１１を周長方向に伸縮させることができる。シート部材１１は、筒状とされた状態で伸縮部２１の伸縮に応じて径方向に拡縮することができる。したがって、花器１の外周に沿って巻くように装着した際に、花器１の大きさに応じて拡縮することができ、径方向の大きさが異なる種々の花器に外装することができる。
【００２２】
伸縮部２１は、本実施形態では、シート部材１１の周長方向全長に亘って設けられている。したがって、シート部材１１を周長方向全長に亘って均一に伸縮させることができる。したがって、花器１に外装した際に、花器１に対して周長全長に亘って均一に接することができ、また、山折り部２２と谷折り部２３とが等間隔で並んで美観を生じさせることができる。
【００２３】
シート部材１１には、筒状に丸められた状態でシート部材１１の周長方向一方端部１１Ａと周長方向他方端部１１Ｂとを接続する接続手段３１が設けられている。シート部材１１は、接続手段３１によって、図１及び図２に示すように、筒状とされた状態を維持することができる。
【００２４】
図５は、シート部材の接着構造の一例を説明する図である。
接続手段３１は、例えばシート部材１１の周長方向一方端部１１Ａと周長方向他方端部１１Ｂを接続する面ファスナ３２Ａ、３２Ｂを有している。面ファスナ３２Ａ、３２Ｂは、図５(ａ)に示すように、周長方向一方端部１１Ａと周長方向他方端部１１Ｂにオスファスナ３２Ａとメスファスナ３２Ｂが設けられている。そして、図５(ｂ)に示すように、互いに接面させた状態で押圧することによって接続でき、また、所定の力で引きはがすことにより接続を解除できる。
【００２５】
面ファスナ３２Ａ、３２Ｂは、例えばシート部材１１の幅方向、すなわち、筒状にされた状態で軸方向に沿って所定間隔をおいて複数箇所に分かれて設けられている。本実施形態では、周長方向一方端部１１Ａと周長方向他方端部１１Ｂにおいてそれぞれ軸方向両端位置と中間位置の合計で３箇所に設けられている。図５（ａ）、図５（ｂ）では、軸方向上端位置に設けられた面ファスナ３２Ａ、３２Ｂのみを示している。面ファスナ３２Ａ、３２Ｂは、圧着して接続した後に、剥がしてその接続を解除することができるので、シート部材１１の筒状への組み立てと分解が可能となる。なお、分解の必要がない場合には、面ファスナ３２Ａ、３２Ｂの代わりに、両面テープを用いてもよい。
【００２６】
図６は、シート部材の接続構造の他の例を説明する図である。
接続手段３１は、図６（ａ）に示すように、シート部材１１の周長方向他方端部１１Ｂにシート部材１１の幅方向に沿って切り込まれて形成されたスリット１３と、シート部材１１の周長方向一方端部１１Ａから突出してスリット１３に係入可能な舌片１４を有する構成としてもよい。
【００２７】
舌片１４は、シート部材１１の周長方向一方端部１１Ａから周長方向に沿って突出し、シート部材１１の幅方向に沿って折曲されて周長方向一方端部１１Ａに沿って延出する略Ｌ字形状を有している。舌片１４の先端をスリット１３に挿入し、周長方向一方端部１１Ａを周長方向他方端部１１Ｂに対してシート部材１１の幅方向に沿って移動させることにより、図６（ｂ）に示すように、舌片１４をスリット１３に係入させることができ、周長方向一方端部１１Ａと周長方向他方端部１１Ｂとを接続することができる。
【００２８】
図７は、折り返し部の形成方法を説明する正面図、図８は、折り返し部の形成方法を説明する側面図である。図７（ａ）、図８（ａ）は、折り返し部を形成する前の状態を示し、図７（ｂ）、図８（ｂ）は、折り返し部を形成した後の状態を示している。
シート部材１１は、花器１の下部に対向配置されるシート部材１１の幅方向一方端部に、山折り部２２の一部を部分的に谷折りに折り返した折り返し部２４が設けられている。折り返し部２４は、図７及び図８に示すように、山折り部２２の下端部を、所定長さに亘って谷折りに折り返すことによって形成されている。折り返し部２４は、山折り部２２を谷折りに折り返した谷折り部２４ａと、山折り部２２の下端２２ａと谷折り部２３の下端２３ａとの間を斜めに結ぶ山折り部２４ｂとを有する。
【００２９】
シート部材１１は、折り返し部２４によって山折り部２２と谷折り部２３の厚さが２倍になる。したがって、シート部材１１を筒状とした場合に、その下部を拡径させることができ、花器１の上部に対向配置されるシート部材１１の上部よりも径方向外側に膨らませることができる。したがって、筒状のシート部材１１の全体形状を、上部が窄まったテーパ形状とすることができ（図１を参照）、形状の安定化を図ることができる。
【００３０】
シート部材１１には、シート部材１１の周長方向に所定間隔をおいて連続する複数の紐穴１２が設けられている。そして、紐穴１２には、シート部材１１を花器１に緊縛可能な固定紐４１が挿通されている。
【００３１】
紐穴１２は、図４に示すように、シート部材１１の幅方向中央位置よりも花器１の上部に対向する幅方向他方側寄りに偏倚した位置に設けられている。紐穴１２は、交互に連続する山折り部２２と谷折り部２３との間の中間位置にそれぞれ１個ずつ開口するように形成されている。
【００３２】
固定紐４１は、シート部材１１の周長方向一方側から他方側に向かって各紐穴１２に順番に挿通されている。固定紐４１は、図１に示すように、花器１をシート部材１１で覆った状態でシート部材１１の周長方向一方端部１１Ａと周長方向他方端部１１Ｂからそれぞれ所定長さだけ突出しており、両端部を互いに結ぶことにより、花器１を緊縛できるようになっている。
【００３３】
上記構成を有する花器外装体１０を花器１に装着する場合、まず、シート部材１１を筒状に丸めて、周長方向一方端部１１Ａと周長方向他方端部１１Ｂを接続手段３１により接続し、その形状を筒状に保持する。
【００３４】
そして、筒状とされたシート部材１１を、その幅方向一方側の端部から花器１にかぶせる。その際、伸縮部２１の伸縮により、筒状のシート部材１１を径方向に拡縮させることができる。したがって、種々の径方向の大きさを有する花器１に装着することができる。
【００３５】
それから、固定紐４１を結んでシート部材１１を花器１に緊縛する。特に、シート部材１１の素材が紙の場合、花器１に外装した状態からシート部材１１が漸次径方向外側に開く拡径方向に変形しやすいが、固定紐４１によってその変形を防ぐことができ、形状を安定化させることができる。以上により、花器外装体１０を花器１に外装することができる。
【００３６】
図９及び図１０は、花器外装体の使用例を説明する分解斜視図である。
図９は、草花を活けるための専用のインナケースを花器として用いた場合を示し、図１０は、ペットボトルを花器として用いた場合を示している。
【００３７】
インナケース１Ａは、図９（ａ）の分解斜視図に示すように、略一定径で軸方向に延在する有底円筒形状を有している。そして、ペットボトル１Ｂは、図１０（ａ）の分解斜視図に示すように、インナケース１Ａよりも径が細い形状を有している。しかし、花器外装体１０は、伸縮部２１によってシート部材１１が周長方向に伸縮可能な構造を有しているので、径方向に拡縮することができる。したがって、図９（ｂ）に示すように、径が大きいインナケース１Ａに外装することができ、また、図１０（ｂ）に示すように、径が小さいペットボトル１Ｂにも外装することができる。
【００３８】
上述の花器外装体１０は、汎用性が高く、種々の花器に外装することができる。したがって、花器１の径方向の大きさに応じた専用設計のものをそれぞれ用意する必要がなく、製造者にとっては製造作業や在庫管理が容易で、コストを低くすることができる。また、ユーザにとっては花器１の径方向の大きさに適合した寸法形状のものを選択して購入する必要がなく、異なる大きさの花器１に流用することができ、花器１の大きさに合わせてそれぞれ別個に購入する必要がない。
【００３９】
図１１は、花器外装体の収容方法の一例を説明する斜視図である。
本実施の形態では、伸縮部２１がシート部材１１の周長方向全長に亘って設けられているので、シート部材１１を周長方向に折りたたんで、図１１に示すように、棒状のコンパクトな形にすることができる。シート部材１１は、折りたたむことにより、複数の山折り部２２が集合した一方面と、複数の谷折り部２３が集合した他方面とを有し、山折り部２２と谷折り部２３との間の距離と同じ厚さ幅を有する棒状となる。したがって、かかる棒状のシート部材１１を収容可能な大きさを有する専用ケース５１に収容することができ、かさばらず、例えば在庫保管や携帯が容易である。
【００４０】
本考案は、上述の実施の形態の構成に限定されるものではなく、本考案の趣旨を逸脱しない範囲で種々の変更が可能である。例えば、上述の実施形態では、シート部材１１の周長全長に亘って伸縮部２１が設けられている場合について説明したが、伸縮部２１は、シート部材１１の周長方向の少なくとも一部に設けられていればよい。
【００４１】
図１２は、花器外装体の他の実施形態を示す図であり、図１２(ａ)は、花器外装体を比較的大径の花器に外装した状態を示す平面図、図１２(ｂ)は、花器外装体を比較的小径の花器に外装した状態を示す平面図である。
【００４２】
図１２（ａ）、図１２（ｂ）に示すように、伸縮部２１は、シート部材１１の周長方向に所定間隔をおいて複数箇所に分かれて設けられている。かかる構成においても、シート部材１１は、伸縮部２１によって周長方向に伸縮することができ、比較的大径の花器であるインナケース１Ａと、比較的小径の花器であるペットボトル１Ｂのいずれにも外装させることができる。
【符号の説明】
【００４３】
１  花器
１Ａ  インナケース（花器）
１Ｂ  ペットボトル（花器）
１０  花器外装体
１１  シート部材
１２  紐穴
１３  スリット
１４  舌片
２１  伸縮部
２２  山折り部
２３  谷折り部
２４  折り返し部
３１  接続手段
３２Ａ、３２Ｂ  面ファスナ
４１  固定紐
【図１】
0003195911.tif 000003
【図２】
0003195911.tif 000004
【図３】
0003195911.tif 000005
【図４】
0003195911.tif 000006
【図５】
0003195911.tif 000007
【図６】
0003195911.tif 000008
【図７】
0003195911.tif 000009
【図８】
0003195911.tif 000010
【図９】
0003195911.tif 000011
【図１０】
0003195911.tif 000012
【図１１】
0003195911.tif 000013
【図１２】
0003195911.tif 000014